(57)【要約】【課題】適切な運行情報の管理を支援する技術の提供を目的とする。【解決手段】車載装置であって、車両の経由する停留所に関する情報である運行情報を記憶する記憶部と、前記車両の有する扉の開閉を検知する開閉検知部と、前記車両の走行開始又は走行中止を検知する走行検知部と、前記開閉検知部が前記扉の閉鎖を検知した後に、前記走行検知部が前記車両の走行開始を検知すると、前記車両が前記停留所から発車したと判定する発車判定部と、を備えることを特徴とする。【選択図】図１
2019028812.tif 000002
【特許請求の範囲】
【請求項１】
車両の経由する停留所に関する情報である運行情報を記憶する記憶部と、
前記車両の有する扉の開閉を検知する開閉検知部と、
前記車両の走行開始又は走行中止を検知する走行検知部と、
前記開閉検知部が前記扉の閉鎖を検知した後に、前記走行検知部が前記車両の走行開始を検知すると、前記車両が前記停留所から発車したと判定する発車判定部と、
を備えることを特徴とする、車載装置。
【請求項２】
請求項１に記載の車載装置であって、
前記発車判定部は、前記開閉検知部が前記扉の閉鎖を検知した後に、前記扉の開放を検知せずに前記走行検知部が前記車両の走行開始を検知すると、前記車両が前記停留所から発車したと判定することを特徴とする、車載装置。
【請求項３】
請求項１に記載の車載装置であって、
前記発車判定部は、前記走行検知部が前記車両の走行中止を検知した後、前記開閉検知部が前記扉の開放を検知せずに前記走行検知部が前記車両の走行開始を検知した場合、前記車両が前記停留所から発車したと判定しないことを特徴とする、車載装置。
【請求項４】
請求項１に記載の車載装置であって、
前記開閉検知部が前記扉の開閉を検知した場合、及び前記走行検知部が前記車両の走行開始又は走行中止を検知した場合に、ログ情報を生成するログ生成部を備え、
前記ログ情報は、前記扉の開放、前記扉の閉鎖、前記車両の走行開始、及び前記車両の走行中止を区別する種別を含むことを特徴とする、車載装置。
【請求項５】
請求項１に記載の車載装置であって、
前記車両が次に停車する予定の前記停留所を含む案内画面の表示情報を生成する表示情報生成部を備え、
前記運行情報は、複数の前記停留所の到着順序を含んでおり、
前記表示情報生成部は、前記運行情報において、前記発車判定部が発車したと判定した前記停留所に連続して停車する予定の次停留所を特定し、該次停留所を前記案内画面に表示させることを特徴とする、車載装置。
【請求項６】
請求項５に記載の車載装置であって、
前記運行情報には、前記停留所毎に発車予定時刻が関連付けられており、
前記表示情報生成部は、現在時刻が前記次停留所の発車予定時刻よりも前の時刻である場合と、前記現在時刻が前記次停留所の発車予定時刻以降である場合とで、前記案内画面を異ならせるよう前記表示情報を生成することを特徴とする、車載装置。
【請求項７】
請求項５に記載の車載装置であって、
前記走行検知部は、前記車両の走行距離を特定し、
前記発車判定部は、前記開閉検知部が前記扉の閉鎖を検知した後に、前記走行検知部が前記車両の走行開始を検知すると、前記車両が走行開始から所定距離を走行した場合に前記車両が発車したと判定することを特徴とする、車載装置。
【請求項８】
車両の有する車載装置と、サーバー装置と、がネットワークを介して通信可能に接続された発車判定システムであって、
前記車載装置は、
車両の経由する停留所に関する情報である運行情報を記憶する記憶部と、
前記車両の有する扉の開閉を検知する開閉検知部と、
前記車両の走行開始又は走行中止を検知する走行検知部と、
前記開閉検知部が前記扉の閉鎖を検知した後に、前記走行検知部が前記車両の走行開始を検知すると、前記車両が前記停留所から発車したと判定する発車判定部と、を備え、
前記サーバー装置は、
前記車両の地図上の位置を特定する表示位置特定部と、
前記表示位置特定部の特定した前記位置に前記車両を示す情報を表示する地図画面の表示情報を生成する地図画面情報生成部と、を備え、
前記表示位置特定部は、前記車載装置の前記発車判定部が前記車両が発車したと判定する場合、発車した前記停留所と、前記運行情報において該停留所に連続して停車する予定の次停留所と、の間に前記地図上の位置を特定することを特徴とする、発車判定システム。
【請求項９】
請求項８に記載の発車判定システムであって、
前記サーバー装置の前記表示位置特定部は、前記開閉検知部が前記扉の開放を検知した場合に、前記次停留所の近傍に前記地図上の位置を特定することを特徴とする、発車判定システム。
【請求項１０】
車載装置が行う発車判定方法であって、
前記車載装置は、記憶部と、開閉検知部と、走行検知部と、発車判定部と、を備え、
前記記憶部は、車両の経由する停留所に関する情報である運行情報を記憶しており、
前記開閉検知部は、前記車両の有する扉の開閉を検知する開閉検知手順を実行し、
前記走行検知部は、前記車両の走行開始又は走行中止を検知する走行検知手順を実行し、
前記発車判定部は、前記開閉検知手順において前記扉の閉鎖を検知した後に、前記走行検知手順において前記車両の走行開始を検知すると、前記車両が前記停留所から発車したと判定する発車判定手順を実行することを特徴とする、発車判定方法。
【発明の詳細な説明】
【技術分野】
【０００１】
本発明は、車載装置、発車判定システム、及び発車判定方法に関する。
【背景技術】
【０００２】
複数の停留所を経由する路線バス等の車両において、通過又は停車した停留所に関する運行情報の管理が行われている。
【０００３】
特許文献１には、バス運行情報表示装置に関する技術が開示されている。同文献の段落［００２５］には、「絶対位置方位検出部２３は、ＧＰＳ信号受信機（ＧＰＳ：Global Positioning System）であり、ＧＰＳ衛星（不図示）から送信されたＧＰＳ変調信号を、ＧＰＳ用アンテナ２４を介して受信して復調し、この復調結果であるＧＰＳ信号を制御部１１に転送する。」と記載されている。また、同文献の段落［００３９］には、「本第１実施形態において、メインＣＰＵ１９は、地図データベース３５ａより読み取った自バス周辺の地図データ、算出した自バスの現在位置及び進行方位、ＳＲＡＭ３１ｃに予め記憶された運行スケジュールデータ及び運行ルートデータ、並びに周辺回路２１より入力した現在時刻などに基いて画像データを生成し、この画像データを示す画像信号を表示部１５に出力している。つまり、メインＣＰＵ１９は、表示部１５に画像信号を出力することで、表示部１５に画像を表示させている。」と記載されている。
【先行技術文献】
【特許文献】
【０００４】
【特許文献１】特開２００５−３３２００４号公報
【発明の概要】
【発明が解決しようとする課題】
【０００５】
停留所への停車又は停留所からの発車を含む車両の運行に関する情報を車両内で取得し、運行情報の管理に用いている。車両内で運行に関する情報の取得を行う場合に、車両が停留所を発車したか否かを装置が適切に認識することが望ましい。例えば、車両の扉の閉鎖を検知すると、車両が停留所を発車したものとして運行情報を管理する技術があるが、扉の閉鎖のタイミングと発車のタイミングとに時間差がある場合があり、運行の状況が正確に反映されているとは言い難い。
【０００６】
特許文献１に記載された技術は、ＧＰＳ信号を用いて地図表示を行うものであるが、運行情報の管理を行うことは考慮されていない。
【０００７】
本発明は、上記の点に鑑みてなされたものであって、適切な運行情報の管理を支援する技術の提供を目的とする。
【課題を解決するための手段】
【０００８】
本願は、上記課題の少なくとも一部を解決する手段を複数含んでいるが、その例を挙げるならば、以下の通りである。
【０００９】
上記課題を解決するため、本発明の一態様に係る車載装置は、車両の経由する停留所に関する情報である運行情報を記憶する記憶部と、前記車両の有する扉の開閉を検知する開閉検知部と、前記車両の走行開始又は走行中止を検知する走行検知部と、前記開閉検知部が前記扉の閉鎖を検知した後に、前記走行検知部が前記車両の走行開始を検知すると、前記車両が前記停留所から発車したと判定する発車判定部と、を備えることを特徴とする。
【発明の効果】
【００１０】
本発明によれば、適切な運行情報の管理を支援する技術を提供することができる。
【００１１】
上記した以外の課題、構成、及び効果は、以下の実施形態の説明により明らかにされる。
【図面の簡単な説明】
【００１２】
【図１】発車判定システムの機能ブロックの一例を示す図である。
【図２】運行情報のデータ構造の一例を示す図である。
【図３】ログ情報のデータ構造の一例を示す図である。
【図４】車載装置のハードウェア構成例を示す図である。
【図５】車載装置の発車判定処理の一例を示すフローチャート（その１）である。
【図６】車載装置の発車判定処理の一例を示すフローチャート（その２）である。
【図７】サーバー装置の地図画面表示処理の一例を示すフローチャートである。
【図８】案内画面の一例を示す図である。
【図９】地図画面の一例を示す図である。
【発明を実施するための形態】
【００１３】
予め定められた経路上にある複数の停留所に順次停車する路線バスの運営において、運行状況を適切に把握することが肝要である。特に、各停留所を発車するタイミングを記録しておくことにより、適切な運行がなされているかを把握しうる。また、停留所を出発するタイミングが認識されれば、運転手や乗客に対して次に停車する停留所を好適なタイミングで案内することができる。
【００１４】
従来、停留所を出発すると、路線バスの運転手が通過ボタンの入力を行うことにより、停留所を発車したタイミングを管理していた。しかしながら、運転手はバスの発車後即ち走行中に通過ボタンを入力することになる。特に、経路上の停留所数が多い場合に、運転手がその都度入力操作を行うことは煩雑である。
【００１５】
運転手による通過ボタンの入力以外に、バスの有する扉を閉鎖したタイミングを、バスの停留所発車タイミングとして管理することがある。この方法は、運転手が発車タイミングを記録するための入力操作を停留所毎に行う必要がない点で好ましい。しかしながら、例えばバスが扉を閉鎖した後、発車予定時刻までしばらく待機し、その後停留所を発車したような場合、扉が閉鎖されたタイミングが停留所発車タイミングとして認識されると、実際の発車タイミングとタイムラグが生じる。
【００１６】
このタイムラグの発生を回避するためには、発車直前に運転手が再度扉を開閉させなければならず、煩わしい。
【００１７】
本実施形態では、車両の扉開閉、走行開始及び走行中止を検知し、扉の閉鎖を検知した後に走行開始が検知された場合に、車両が停留所を発車したものと判定する。これにより、実際の運行状況に則した運行管理を行うことが可能となる。
【００１８】
以下、図面に基づいて本発明の実施形態の例を説明する。図１は、発車判定システム１の機能ブロックの一例を示す図である。発車判定システム１は、ネットワークｎを介して通信可能に接続された車載装置１０と、サーバー装置２０と、を有する。サーバー装置２０には、１又は複数の車載装置１０が接続される。
【００１９】
車載装置１０は、車両に搭載されるコンピューター装置である。車載装置１０は、例えば運転手に経路情報を提供するナビゲーション装置の一部であってもよい。以下、車載装置１０がバスに搭載される例を用いて説明する。
【００２０】
バスは、いわゆる路線バスであって、予め定められた経路を走行し、経路に設置された複数の停留所に順次停車する。なお、降車する顧客も乗車する顧客もいない停留所に関し、バスは停車せずに通過することがある。
【００２１】
サーバー装置２０は、例えばサーバーコンピューターやＰＣ（Personal Computer）等であって、１又は複数の車載装置１０から送信される情報に基づき、各車載装置１０を有するバスの運行情報を管理する。また、サーバー装置２０は、地図上にバスを示す画像を表示する。
【００２２】
車載装置１０は、制御部１１０と、記憶部１２０と、入力部１３０と、出力部１４０と、通信部１５０と、を備える。制御部１１０は、車載装置１０全体を統括的に制御する。記憶部１２０は、制御部１１０による処理に必要な情報を記憶する。入力部１３０は、タッチパネルやハードウェアボタン等の入力装置を介して、車載装置１０への情報の入力を受け付ける。出力部１４０は、スピーカー等の音声出力装置、及びディスプレイ等の映像出力装置に対して情報を出力させる。通信部１５０は、サーバー装置２０との間で情報を送信又は受信する。
【００２３】
制御部１１０は、開閉検知部１１１と、走行検知部１１２と、発車判定部１１３と、ログ生成部１１４と、表示情報生成部１１５と、を備える。開閉検知部１１１は、後述する扉センサーによりバスの有する１又は複数の扉の開放及び閉鎖を検知する。本実施形態において、バスが複数の扉を有する場合、開閉検知部１１１は少なくとも１つの扉の開放を検知した場合に扉の開放を検知したものと取り扱い、すべての扉の閉鎖を検知した場合に扉の閉鎖を検知したものと取り扱う。
【００２４】
走行検知部１１２は、後述する車速センサーを用いて、バスの走行開始又は走行中止を検知する。また、走行検知部１１２は、バスの走行距離を特定する。例えば、走行検知部１１２は、バスが走行を開始してから計測時までの走行距離を特定する。
【００２５】
発車判定部１１３は、バスが停留所を発車したか否かを判定する。具体的には、発車判定部１１３は、開閉検知部１１１が扉の閉鎖を検知した後に、走行検知部１１２がバスの走行開始を検知すると、バスが停留所から発車したと判定する。なお、発車判定部１１３は、走行中止が検知された場合であっても、扉の開放が検知されずに走行開始が検知された場合、バスが停留所を発車したものと判定しない。
【００２６】
また、より詳細には、発車判定部１１３は、開閉検知部１１１が扉の閉鎖を検知した後に、扉の開放を検知せずに走行検知部１１２がバスの走行開始を検知すると、バスが停留所から発車したと判定する。従って、扉の閉鎖後であっても、扉が開放され、再度の閉鎖がなされずに走行開始が検知された場合、発車判定部１１３はバスが停留所を発車したものと判定しない。
【００２７】
ログ生成部１１４は、イベントが発生した場合に、イベントの種別を含むログ情報を生成する。イベントとは、例えば扉の開放、扉の閉鎖、車両の走行開始、車両の走行中止、通過ボタンの入力受付、及び発車と判定されたことを示すオートスタート等であって、種別とは発生したイベントを区別する情報である。
【００２８】
表示情報生成部１１５は、タッチパネル等の映像出力装置に表示させる案内画面の表示情報を生成する。案内画面は、経路上次に停車する予定の停留所である次停留所を含んでいる。表示情報生成部１１５は、次停留所を特定し、案内画面に表示させる。
【００２９】
また、表示情報生成部１１５は、次停留所の発車予定時刻と現在時刻とを比較し、現在時刻の方が前の時刻である場合を早期発車、現在時刻が発車予定時刻以降である場合を通常発車と判定する。表示情報生成部１１５は、早期発車の場合と通常発車の場合とで、案内画面を異ならせて表示させる。
【００３０】
記憶部１２０は、運行情報１２１と、ログ情報１２２とを記憶する。運行情報１２１は、バスの経由する複数の停留所に関する情報であって、停留所の到着順序と、停留所の発車予定時刻とを含む。ログ情報１２２は、イベントが発生した場合の情報であって、イベントの履歴に関する情報といえる。
【００３１】
サーバー装置２０は、制御部２１０と、記憶部２２０と、入力部２３０と、出力部２４０と、通信部２５０と、を備える。制御部２１０は、サーバー装置２０全体を統括的に制御する。記憶部２２０は、制御部２１０による処理に必要な情報を記憶する。入力部２３０は、入力装置を介してサーバー装置２０への情報の入力を受け付ける。
【００３２】
出力部２４０は、出力装置に対して情報を出力させる。出力部２４０は、後述の地図画面を、サーバー装置２０の有する出力装置を介して出力する。なお、出力部２４０は、サーバー装置２０に通信可能に接続された図示しない管理者端末に地図画面を出力してもよい。通信部２５０は、１又は複数の車載装置１０との間で情報の送信又は受信を行う。
【００３３】
制御部２１０は、ログ受付部２１１と、表示位置特定部２１２と、地図画面情報生成部２１３と、を備える。ログ受付部２１１は、車載装置１０から送信されるログ情報１２２を受け付け、ログ情報２２３として記憶部２２０に記憶させる。
【００３４】
表示位置特定部２１２は、車両装置から受け付けたログ情報２２３を用いて、バスを示す画像を地図上のどの位置に表示するかを特定する。表示位置特定部２１２は、バスが停留所を発車したと判定された場合に、発車した停留所と、経路上該停留所に連続して停車する予定の次停留所との間の経路上の任意の位置を、バスを示す画像の表示位置に特定する。また、表示位置特定部２１２は、扉の開放が検知された場合に、次停留所の近傍にバスを示す画像を表示するよう表示位置を特定する。
【００３５】
地図画面情報生成部２１３は、地図にバスを示す画像を重畳させた地図画面の画面情報を生成する。
【００３６】
記憶部２２０は、地図情報２２１と、運行情報２２２と、ログ情報２２３とを記憶する。地図情報２２１は、サーバー装置２０に接続された車載装置１０を有する１又は複数のバスの経路を含む領域の地図情報である。運行情報２２２は、サーバー装置２０に接続された車載装置１０を有するバス毎に運行状況を管理する情報であって、データ構造は運行情報１２１と同様である。ログ情報２２３は、車載装置１０から送信される情報であって、データ構造はログ情報１２２と同様である。
【００３７】
図２は、運行情報１２１のデータ構造の一例を示す図である。運行情報１２１は、車両識別子１２１ａと、停留所識別子１２１ｂと、発車予定時刻１２１ｃと、通過フラグ１２１ｄと、を含む。車両識別子１２１ａは、バスを特定する識別情報である。車両識別子１２２ａにより、バスの有する車載装置１０が特定可能である。
【００３８】
停留所識別子１２１ｂは、バスの走行予定の経路に存在する停留所を特定する識別情報である。発車予定時刻１２１ｃは、停留所識別子１２１ｂにより特定される停留所の発車予定時刻を示す情報である。
【００３９】
通過フラグ１２１ｄは、停留所識別子１２１ｂにより特定される停留所を通過したか否かを示す情報である。この場合の「通過」には、停留所に停車した後に発車した状態と、停留所に停車せず通過した状態とが含まれる。通過フラグ１２１ｄは、例えば「０」が未だ通過していないことを示す情報であって、「１」が通過したことを示す情報である。
【００４０】
運行情報１２１は、バスの停留所への到着順序を示す情報を含む。例えば、停留所識別子１２１ｂには、到着順序が早いほど若い番号が付されており、連続する番号を有する停留所は連続して停車することが予定されている。図２に示す運行情報１２１は、停留所識別子１２１ｂが「００１」、「００２」、「００３」、「００４」、「００５」の各々により特定される停留所に順に停車することが予定されている。
【００４１】
本図では、停留所識別子１２１ｂの「００１」、「００２」「００３」に対して、通過フラグ１２１ｄの「１」が関連付けられている。これは、停留所識別子１２１ｂの「００１」、「００２」、「００３」により特定される停留所は既に通過しており、停留所識別子１２１ｂの「００４」、「００５」により特定される停留所はまだ通過していないことを示している。
【００４２】
以下、既に通過した停留所のうち最も新しい時期に通過した停留所を前停留所、経路上前停留所に連続し、次に通過する予定の停留所を次停留所として説明する。より具体的には、運行情報１２１において、通過フラグ１２１ｄが通過したことを示す情報であるレコードのうち、到着順序の最も遅い（最も後に到着する）レコードの停留所識別子１２１ｂに係る停留所が、前停留所として取り扱われる。また、運行情報１２１において、通過フラグ１２１ｄがまだ通過していないことを示す情報であるレコードのうち、到着順序の最も若い（最も先に到着する）レコードの停留所識別子１２１ｂに係る停留所が、次停留所として取り扱われる。前停留所と次停留所とは運行情報１２１において到着順序が連続している。
【００４３】
図３は、ログ情報１２２のデータ構造の一例を示す図である。ログ情報１２２は、車両識別子１２２ａと、年月日１２２ｂと、時刻１２２ｃと、種別１２２ｄと、を含む。車両識別子１２２ａは、バスを特定する識別情報である。
【００４４】
年月日１２２ｂは、ログ情報１２２のレコードの生成年月日を示す情報である。時刻１２２ｃは、ログ情報１２２のレコードの生成時刻を示す情報である。種別１２２ｄは、イベントの種別を特定する情報である。
【００４５】
図４は、車載装置１０のハードウェア構成例を示す図である。車載装置１０は、演算処理部１１を備える。
【００４６】
演算処理部１１は、車載装置１０における中心的ユニットであり、ＣＰＵ（Central Processing Unit）１２、ＲＡＭ（Random Access Memory）１３、不揮発性メモリ１４、及びネットワークＩ／Ｆ（Interface）１５を備える。各構成要素はバスにより接続されている。
【００４７】
ＣＰＵ１２は、ＲＡＭ１３又は不揮発性メモリ１４に記憶されたプログラムに従って処理を実行する。ＲＡＭ１３は記憶装置であり、プログラムやデータが一時的に読み出される記憶エリアとして機能する。不揮発性メモリ１４は、フラッシュメモリ等の不揮発性のメモリであって、プログラムや各種データの格納先として用いられる。ネットワークＩ／Ｆ１５は、車載装置１０をネットワークｎ又は外部機器に接続するためのインターフェイスである。
【００４８】
車載装置１０では、ＲＡＭ１３又は不揮発性メモリ１４上に読み出されたプログラムに従って動作するＣＰＵ１２により処理が行われる。制御部１１０を構成する各処理部は、ＣＰＵ１２がプログラムを実行することにより各々の機能を実現する。また、記憶部１２０は、ＲＡＭ１３又は不揮発性メモリ１４によりその機能が実現される。なお、記憶部１２０は、ネットワークｎ上の記憶装置によってその機能が実現されてもよい。
【００４９】
車載装置１０は、入力装置３１と、出力装置３２と、車速センサー３３と、扉センサー３４とに通信可能に接続される。入力装置３１は、ユーザーからの入力操作を受け付ける装置であり、タッチパネル又はハードウェアボタン等であって、先述の通過ボタンを含む。出力装置３２は、ＬＣＤ（Liquid Crystal Display）等の映像出力装置や、スピーカー等の音声出力装置を含む、ユーザーに対して情報を出力する装置である。
【００５０】
車速センサー３３は、バスの車速を検知するセンサーである。車速センサー３３は、例えばタイヤの回転数に応じて発生する車速パルス信号を検知する。例えば、車速センサー３３は、車速パルス信号を検知すると走行検知部１１２に通知する。走行検知部１１２は、パルス数を計測し、パルス数が予め定められた閾値（例えば１）以上となった時に、走行開始を検知したものと取り扱う。同様に、走行検知部１１２は、車速センサー３３からの通知を用いて走行中止、及び走行距離を検知する。即ち、走行検知部１１２は、車速センサー３３を用いてその機能を実現する。
【００５１】
なお、走行検知部１１２が走行開始、走行中止、及び走行距離等の走行状況を検知する方法は、車速パルス信号を用いる方法に限定されない。例えば走行検知部１１２は、車載装置１０に接続された図示しないカメラを用いて撮影された画像を用いて、走行状況を検知するものであってもよい。以下、走行検知部１１２は車速パルス信号を用いて、走行状況を検知するものとして説明する。
【００５２】
扉センサー３４は、バスの有する１又は複数の乗降扉に設置され、乗降扉の開閉に応じた電気接点の有無により扉の開閉を検知するセンサーである。扉センサー３４が扉の開閉を検知する方法はこれに限られない。例えば赤外線センサーや撮影画像を用いて扉の開閉を検知するものであってもよい。
【００５３】
なお、扉の開閉は、例えばバスの有する図示しない電子制御ユニット（ＥＣＵ：electronic control unit）が扉開閉スイッチへの入力操作を検知することにより実行される。開閉検知部１１１は、ＥＣＵから扉の開閉状態を示す信号を受信することにより、扉の開閉を検知してもよい。即ち、開閉検知部１１１は、扉センサー３４又はＥＣＵからの出力を用いてその機能を実現する。
【００５４】
なお、入力装置３１と、出力装置３２と、車速センサー３３と、扉センサー３４とは、車載装置１０内に設置されていてもよい。
【００５５】
なお、車載装置１０の各構成要素の処理は、１つのハードウェアで実行されてもよいし、複数のハードウェアで実行されてもよい。また、車載装置１０の各構成要素の処理は、１つのプログラムで実現されてもよいし、複数のプログラムで実現されてもよい。
【００５６】
サーバー装置２０は、ＣＰＵ、ＲＡＭ、不揮発性メモリ、及びネットワークＩ／Ｆを備える演算処理部を有するコンピューターにより実現される。また、サーバー装置２０は、地図画面を出力するための出力装置に接続されている。
【００５７】
図５は、車載装置１０の発車判定処理の一例を示すフローチャート（その１）である。本処理は、例えばバスの走行中に車載装置１０により実行される。
【００５８】
まず、発車判定部１１３は、通過ボタンが入力されたか否かを判定する（ステップＳ１１）。バスが次停留所に停車せず通過する場合に、通過ボタンが入力されることが想定される。例えば次停留所への停車を促す降車ボタンの入力が乗客からなされず、かつ次停留所から乗車する顧客がいない場合等に、運転手は通過ボタンを押下する。通過ボタンが押下されると、入力部１３０は通過ボタンへの入力を発車判定部１１３に通知する。
【００５９】
発車判定部１１３が、通過ボタンが入力されたと判定する場合（ステップＳ１１で「ＹＥＳ」の場合）、発車判定部１１３は、運行情報１２１を更新する（ステップＳ１２）。具体的には、発車判定部１１３は、運行情報１２１を参照し、次停留所の通過フラグ１２１ｄに対し、通過したことを示す情報を関連付ける。即ち、次停留所は前停留所として取り扱われることとなる。
【００６０】
次に、ログ生成部１１４は、ログ情報１２２を生成する（ステップＳ１３）。具体的には、ログ生成部１１４は、車両識別子１２２ａにバスを特定する識別子を、年月日１２２ｂに現在の年月日を、時刻１２２ｃに現在時刻を関連付けてログ情報１２２のレコードを生成する。ログ生成部１１４は、生成したレコードの種別１２２ｄに、通過ボタンが入力されたイベントを示す種別を関連付ける。ログ生成部１１４は、生成したログ情報１２２をサーバー装置２０に送信する。
【００６１】
その後、制御部１１０は処理をステップＳ１１に戻す。
【００６２】
発車判定部１１３が、通過ボタンが入力されていないと判定する場合（ステップＳ１１で「ＮＯ」の場合）、走行検知部１１２は、車速パルス信号がＯＦＦであるか否かを判定する（ステップＳ１４）。具体的には、走行検知部１１２は、車速センサー３３からの車速パルス信号を参照し、バスが走行を中止したか否かを判定する。走行検知部１１２は、バスが走行を中止したと判定する場合、ステップＳ１５に処理を移行させる。
【００６３】
走行検知部１１２が、車速パルス信号がＯＦＦでないと判定する場合（ステップＳ１４で「ＮＯ」の場合）、制御部１１０は処理をステップＳ１１に戻す。
【００６４】
走行検知部１１２が、車速パルス信号がＯＦＦであると判定する場合（ステップＳ１４で「ＹＥＳ」の場合）、ログ生成部１１４は、ログ情報１２２を生成する（ステップＳ１５）。具体的には、ログ生成部１１４は、車両識別子１２２ａにバスを特定する識別子を、年月日１２２ｂに現在の年月日を、時刻１２２ｃに現在時刻を関連付け、レコードの種別１２２ｄに、走行が中止されたイベントを示す種別を関連付けたログ情報１２２のレコードを生成する。ログ生成部１１４は、生成したログ情報１２２をサーバー装置２０に送信する。
【００６５】
次に、開閉検知部１１１は、扉が開放されたか否かを判定する（ステップＳ１６）。バスが走行を中止し、扉が開放された場合、停留所に停車したと考えられる。その場合、開閉検知部１１１は処理をステップＳ１９に移行する。
【００６６】
開閉検知部１１１が、扉が開放されないと判定する場合（ステップＳ１６で「ＮＯ」の場合）、走行検知部１１２は、車速パルス信号がＯＮであるか否かを判定する（ステップＳ１７）。具体的には、走行検知部１１２は、車速センサー３３からの車速パルス信号を参照し、バスが走行を開始したか否かを判定する。開閉検知部１１１が、車速パルス信号がＯＮでないと判定する場合（ステップＳ１７で「ＮＯ」の場合）、制御部１１０は処理をステップＳ１６に戻す。
【００６７】
走行検知部１１２が、車速パルス信号がＯＮであると判定する場合（ステップＳ１７で「ＹＥＳ」の場合）、ログ生成部１１４は、ログ情報１２２を生成する（ステップＳ１８）。具体的には、ログ生成部１１４は、車両識別子１２２ａにバスを特定する識別子を、年月日１２２ｂに現在の年月日を、時刻１２２ｃに現在時刻を関連付け、レコードの種別１２２ｄに、走行が開始されたイベントを示す種別を関連付けたログ情報１２２のレコードを生成する。ログ生成部１１４は、生成したログ情報１２２をサーバー装置２０に送信する。その後、制御部１１０は処理をステップＳ１１に戻す。
【００６８】
なお、ステップＳ１４において、走行検知部１１２が車速パルス信号ＯＦＦを検知した後、ステップＳ１６において、扉の開放が検知されず、ステップＳ１７において走行開始が検知された場合、バスは信号等により一旦停止し、また走行を開始したと考えられる。その場合、発車判定部１１３はバスが停留所を発車したものと判定しない。
【００６９】
開閉検知部１１１が、扉が開放されたと判定する場合（ステップＳ１６で「ＹＥＳ」の場合）、ログ生成部１１４は、ログ情報１２２を生成する（ステップＳ１９）。具体的には、ログ生成部１１４は、車両識別子１２２ａにバスを特定する識別子を、年月日１２２ｂに現在の年月日を、時刻１２２ｃに現在時刻を関連付け、レコードの種別１２２ｄに、扉が開放されたイベントを示す種別を関連付けたログ情報１２２のレコードを生成する。ログ生成部１１４は、生成したログ情報１２２をサーバー装置２０に送信する。
【００７０】
次に、開閉検知部１１１は、扉が閉鎖されたか否かを判定する（ステップＳ２０）。開閉検知部１１１は、扉が閉鎖されていないと判定する場合（ステップＳ２０で「ＮＯ」の場合）、ステップＳ２０の処理を繰り返す。
【００７１】
開閉検知部１１１が、扉が閉鎖されたと判定する場合（ステップＳ２０で「ＹＥＳ」の場合）、ログ生成部１１４は、ログ情報１２２を生成する（ステップＳ２１）。ログ生成部１１４は、車両識別子１２２ａにバスを特定する識別子を、年月日１２２ｂに現在の年月日を、時刻１２２ｃに現在時刻を関連付け、レコードの種別１２２ｄに、扉が閉鎖されたイベントを示す種別を関連付けたログ情報１２２のレコードを生成する。ログ生成部１１４は、生成したログ情報１２２をサーバー装置２０に送信する。
【００７２】
次に、表示情報生成部１１５は、早期発車であるか否かを判定する（ステップＳ２２）。具体的には、表示情報生成部１１５は、運行情報１２１を参照して次停留所を特定し、次停留所の発車予定時刻１２１ｃを特定する。表示情報生成部１１５は、特定した発車予定時刻１２１ｃと現在時刻とを比較し、現在時刻の方が早い場合に早期発車であると判定する。発車予定時刻１２１ｃと現在時刻とが同じであるか、又は発車予定時刻１２１ｃの方が早い場合、表示情報生成部１１５は早期発車でないと判定する。
【００７３】
表示情報生成部１１５が、早期発車であると判定する場合（ステップＳ２２で「ＹＥＳ」の場合）、表示情報生成部１１５は、早期発車表示を行う（ステップＳ２３）。表示情報生成部１１５は、早期発車であることを示す案内画面の画面情報を生成し、出力装置３２に出力させる。
【００７４】
表示情報生成部１１５が、早期発車でないと判定する場合（ステップＳ２２で「ＮＯ」の場合）、表示情報生成部１１５は、通常発車表示を行う（ステップＳ２４）。表示情報生成部１１５は、通常発車であることを示す案内画面の画面情報を生成し、出力装置３２に出力させる。
【００７５】
図８は、案内画面３１０の一例を示す図である。図８（Ａ）は、早期発車の際の案内画面３１０の一例であって、図８（Ｂ）は、通常発車の際の案内画面３１０の一例である。案内画面３１０は、停留所表示領域３１１と、次停留所指示表示領域３１２と、現在時刻表示領域３１３と、を有する。案内画面３１０は、バスの運転手に対して表示されるものであり、運転手がバスを走行させる際の目安となる情報が表示される。表示情報生成部１１５は、運行情報１２１を用いて案内画面３１０の表示情報を生成する。
【００７６】
停留所表示領域３１１には、次停留所と、経路上次停留所に連続して停車する予定の１又は複数の停留所と、各々の停留所の発車予定時刻とが表示される。次停留所指示表示領域３１２は、停留所表示領域３１１に表示された停留所のうち、次停留所を指示する表示を行う領域である。現在時刻表示領域３１３は、現在時刻を表示する領域である。
【００７７】
表示情報生成部１１５は、運転手の注意を促すため、早期発車の案内画面３１０と通常発車の案内画面３１０とを異ならせて表示させる。図８（Ａ）及び図８（Ｂ）に示す案内画面３１０は、次停留所指示表示領域３１２の表示が早期発車の場合と通常発車の場合とで異なっている。なお、表示態様はこれに限定されない。例えば停留所表示領域３１１の背景の色やパターンを異ならせてもよい。
【００７８】
本実施形態において、運転手は、早期発車（現在時刻の方が発車予定時刻より早い）の場合に、しばらく発車せず待機する等の対応が可能である。そのため、早期発車の案内画面３１０の方が、通常発車の案内画面３１０よりも運転手の目を引く表示態様であることが望ましい。
【００７９】
説明を図５に戻す。ステップＳ２３において早期発車表示がなされた場合、又はステップＳ２４において通常発車表示がなされた場合、走行検知部１１２は、車速パルス信号がＯＮであるか否かを判定する（ステップＳ２５）。ステップＳ２５において行われる処理は、ステップＳ１７において行われる処理と同様である。走行検知部１１２は、車速パルス信号がＯＮでないと判定する場合（ステップＳ２５で「ＮＯ」の場合）、処理をステップＳ２２に戻す。ステップＳ２５において、走行検知部１１２が、車速パルス信号がＯＮであると判定する場合（ステップＳ２５で「ＹＥＳ」の場合）、制御部１１０は図６に示すステップＳ２６に処理を移行させる。
【００８０】
付言すれば、ステップＳ２５における処理が実行される場合には、ステップＳ２０において扉の閉鎖が検知されている（ステップＳ２０で「ＹＥＳ」）。即ち、走行検知部１１２は、扉が閉鎖されており、かつ車速パルス信号がＯＮである場合に、ステップＳ２６に処理を移行させる。換言すれば、走行検知部１１２は、扉の閉鎖が検知された後に、扉の開放が検知されずにバスの走行開始を検知した場合に、処理をステップＳ２６に移行させる。
【００８１】
なお、開閉検知部１１１が、ステップＳ２０で扉の閉鎖を検知した後に、再度扉の開放を検知した場合、ログ生成部１１４が扉開放を示すログ情報１２２を生成した後、制御部１１０は処理をステップＳ２０に移行させる。即ち、開閉検知部１１１は開放された扉が閉鎖されたか否かを判定する。仮に扉が開放されたままバスが発車した場合であっても、ステップＳ２１以降の処理は行われず、バスが発車したと判定されることはない。
【００８２】
図６は、車載装置１０の発車判定処理の一例を示すフローチャート（その２）である。ステップＳ２６において行われる処理は、ステップＳ１８において行われる処理と同様であるため、説明を省略する。
【００８３】
ステップＳ２７からステップＳ２９において行われる処理は、ステップＳ２２からステップＳ２４において行われる処理と同様であるため、説明を省略する。
【００８４】
次に、走行検知部１１２は、所定距離を走行したか否かを判定する（ステップＳ３０）。具体的には、走行検知部１１２は、車速センサー３３が取得した車速パルス信号を参照し、ステップＳ２５において走行開始が検知されてから現在までの走行距離を取得する。走行検知部１１２は、記憶部１２０の図示しない領域に記憶された所定距離を参照し、所定距離以上の距離を走行したか否かを判定する。
【００８５】
走行検知部１１２が、所定距離を走行していないと判定する場合（ステップＳ３０で「ＮＯ」の場合）、走行検知部１１２は、処理をステップＳ２７に戻す。即ち、ステップＳ２０において、扉の閉鎖が検知され、ステップＳ２５において、バスの走行開始が検知された場合であっても、バスが所定距離以上の距離を走行しない限り、バスが停留所を発車したものと判定されない。
【００８６】
バスが停留所を発車し、少々走行したところで乗車希望の顧客が停留所に走りこむなどして乗車の意思表示を行うと、バスが再停車して顧客を乗車させることがある。このように、同じ停留所に複数回停車した場合にもバスが次停留所を発車したと判定すると、バスの運行管理が適切に行われない。そのため、車載装置１０は所定距離を記憶し、扉の閉鎖の検知後にバスの走行開始が検知された後、所定距離を走行した場合に、次停留所を発車したものと判定する。
【００８７】
なお、ステップＳ３０において、走行検知部１１２が所定距離を走行していないと判定する場合において、その後車速パルス信号がＯＦＦになり、扉の開閉が検知され、その後車速パルス信号がＯＮになった場合、各々のイベントに応じたログ情報１２２が生成され、サーバー装置２０に送信される。その後、バスが所定距離を走行したと判定されると、走行検知部１１２は処理をステップＳ３１に移行させる。
【００８８】
付言すれば、同じ停留所にバスが複数回停車することが想定されない場合等には、ステップＳ３０の処理は省略することができる。
【００８９】
走行検知部１１２が、所定距離を走行したと判定する場合（ステップＳ３０で「ＹＥＳ」の場合）、発車判定部１１３は、バスが停留所を発車したと判定する（ステップＳ３１）。即ち、ステップＳ１２と同様に、発車判定部１１３は運行情報１２１を参照し、次停留所の通過フラグ１２１ｄに対し、通過したことを示す情報を関連付ける。換言すれば、次停留所は前停留所として取り扱われる。
【００９０】
次に、ログ生成部１１４は、ログ情報１２２を生成する（ステップＳ３２）。ログ生成部１１４は、車両識別子１２２ａにバスを特定する識別子を、年月日１２２ｂに現在の年月日を、時刻１２２ｃに現在時刻を関連付け、レコードの種別１２２ｄに、オートスタートを示すイベントの種別を関連付けたログ情報１２２のレコードを生成する。ログ生成部１１４は、生成したログ情報１２２をサーバー装置２０に送信する。
【００９１】
次に、表示情報生成部１１５は、案内画面を消去する（ステップＳ３３）。具体的には、表示情報生成部１１５は、ステップＳ２８又はステップＳ２９において表示した案内情報の表示を中止する。その後、制御部１１０は処理を図５のステップ１１に戻す。
【００９２】
なお、本実施形態において、扉の閉鎖後に案内画面が表示され、発車判定後に案内画面の表示が中止されるが、案内画面の表示期間はこれに限定されない。例えば、表示情報生成部１１５は、ステップＳ２２からステップＳ２４における処理を定期的に行い、常時案内画面を表示させるものであってもよい。
【００９３】
また、先述したように、案内画面３１０は運転手に対し表示される画面情報であるが、案内画面３１０の表示に関連し、顧客に対して次停留所を告知する表示画面が表示されてもよい。この場合、例えば表示情報生成部１１５は次停留所を示す告知画面の表示情報を生成し、出力部１４０を介して顧客が視認可能な映像出力装置に告知画面を出力させる。また、出力部１４０は、次停留所を顧客に告知するための音声情報を生成し、スピーカー等の音声出力装置に出力させてもよい。
【００９４】
付言すれば、通過ボタンが入力、又はバスが停留所を発車したと判定されてから案内画面や告知画面の表示までに時間差を設けたい場合、走行距離の閾値を設けてもよい。具体的には、表示情報生成部１１５は、通過ボタンが入力、又はバスの発車判定がされてからのバスの走行距離を走行検知部１１２を介して取得し、走行距離が閾値を超えた場合に、案内画面や告知画面を表示してもよい。
【００９５】
本実施形態では、車速パルス信号と、扉の開閉を示す情報とを用いて、停留所を発車したか否かが判定される。これにより、バスが停留所を発車したタイミングを適切に管理することができる。また、扉の閉鎖を停留所の発車タイミングとみなす実施形態に比べ、より正確な運行管理が可能となる。
【００９６】
図７は、サーバー装置２０の地図画面表示処理の一例を示すフローチャートである。本処理は、サーバー装置２０において例えば定期的に実行される。なお、ログ受付部２１１が車載装置１０からログ情報１２２を受け付けると、ログ情報２２３として記憶部２２０に記憶させる。以下、前停留所が「Ａ」、次停留所が「Ｂ」、次停留所に連続して停車することが予定されている「次の次停留所」が「Ｃ」である例を用いて説明する。
【００９７】
まず、ログ受付部２１１が、通過ボタンログを受信したか否かを判定する（ステップＳ４１）。具体的には、ログ受付部２１１は、車載装置１０から受信したログ情報２２３の種別を参照し、通過ボタンの入力を示す情報である場合に、通過ボタンログを受信したと判定する。
【００９８】
ログ受付部２１１が、通過ボタンログを受信していないと判定する場合（ステップＳ４１で「ＮＯ」の場合）、ログ受付部２１１は、車速パルスＯＦＦログを受信したか否かを判定する（ステップＳ４２）。具体的には、ログ受付部２１１は、車載装置１０から受信したログ情報２２３の種別を参照し、走行中止を示す情報である場合に、車速パルスＯＦＦログを受信したと判定する。
【００９９】
ログ受付部２１１が、車速パルスＯＦＦログを受信していないと判定する場合（ステップＳ４２で「ＮＯ」の場合）、ログ受付部２１１は処理をステップＳ４１に戻す。
【０１００】
ログ受付部２１１が、車速パルスＯＦＦログを受信したと判定する場合（ステップＳ４２で「ＹＥＳ」の場合）、ログ受付部２１１は、扉開放ログ又は車速パルスＯＮログのどちらを受信したかを判定する（ステップＳ４３）。具体的には、ログ受付部２１１は、車載装置１０から受信したログ情報２２３の種別を参照し、扉の開放を示す情報であるか、又は走行開始を示す情報であるかを判定する。なお、どちらの種別のログ情報２２３も受信していない場合、ログ受付部２１１はどちらかの種別のログ情報２２３を受信するまで、ステップＳ４３の処理を繰り返す。
【０１０１】
ログ受付部２１１が、車速パルスＯＮログを受け付けたと判定する場合（ステップＳ４３で「車速パルスＯＮログ」の場合）、ログ受付部２１１は処理をステップＳ４１に戻す。
【０１０２】
ログ受付部２１１が、扉開放ログを受け付けたと判定する場合（ステップＳ４３で「扉開放ログ」の場合）、表示位置特定部２１２は、次停留所をバス位置に特定する（ステップＳ４４）。扉の開放が検知された場合、サーバー装置２０においてバスが次停留所に到着したものと取り扱われる。具体的には、表示位置特定部２１２は、ログ情報２２３に含まれる車両識別子を用いてバスを特定し、特定したバスと関連する運行情報２２２のレコードを抽出し、抽出したレコードの通過フラグを参照することにより次停留所を特定する。
【０１０３】
表示位置特定部２１２は、地図情報２２１のうち、次停留所の近傍（次停留所から所定距離）の位置を、バスを示す画像であるバス画像の表示位置に特定する。表示位置特定部２１２は、次停留所の画像とバス画像が重畳するよう表示位置を特定してもよい。
【０１０４】
次に、地図画面情報生成部２１３は、バス位置にバス画像を配置して表示する（ステップＳ４５）。具体的には、地図画面情報生成部２１３は、地図情報２２１を用いて、ステップＳ４４において特定したバス位置にバス画像を配置した地図画面の画面情報を生成する。地図画面情報生成部２１３は、生成した画面情報を用いて地図画面を出力部２４０に出力させる。
【０１０５】
図９は、地図画面３２０の一例を示す図である。地図画面３２０は、停留所画像３２１と、バス画像３２２とを含む。図９には、停留所画像３２１として、前停留所である「Ａ」を示す停留所画像３２１Ａと、次停留所である「Ｂ」を示す停留所画像３２１Ｂと、次の次の停留所である「Ｃ」を示す停留所画像３２１Ｃと、が表示されている。
【０１０６】
本例において、次停留所が「Ｂ」であるため、表示位置特定部２１２はバス位置を停留所画像３２１Ｂの近傍に特定する。地図画面情報生成部２１３は、停留所画像３２１Ｂの近傍にバス画像３２２を配置した地図画面３２０を表示させる。
【０１０７】
説明を図７に戻す。次に、ログ受付部２１１は、オートスタートのログ情報２２３を受信したか否かを判定する（ステップＳ４６）。具体的には、ログ受付部２１１は、車載装置１０から受信したログ情報２２３の種別を参照し、オートスタートを示す情報である場合に、オートスタートのログを受信したと判定する。ログ受付部２１１が、オートスタートのログを受信していないと判定する場合（ステップＳ４６で「ＮＯ」の場合）、ログ受付部２１１は、オートスタートのログを受信するまで本ステップの処理を繰り返す。
【０１０８】
なお、本ステップにおいて、ログ受付部２１１は、オートスタートのログ情報２２３を受信したか否かの判定に代えて、扉閉鎖のログ情報２２３及び車速パルスＯＮのログ情報２２３を受信したか否かを判定してもよい。即ち、ログ受付部２１１は、車載装置１０から受信したログ情報２２３の種別を参照し、扉閉鎖を示す情報であるログ情報２２３を受信した後、走行開始を示す種別を含むログ情報２２３を受信した場合に、処理をステップ４７に進めるものであってもよい。
【０１０９】
ログ受付部２１１が、オートスタートのログを受信したと判定する場合（ステップＳ４６で「ＹＥＳ」の場合）、ログ受付部２１１は、運行情報２２２を更新する（ステップＳ４７）。扉閉鎖のログを受け付けた後、走行開始のログを受け付けた場合、車載装置１０の発車判定部１１３は、バスが停留所を発車したと判定するが、サーバー装置２０においてもバスが停留所を発車したものと取り扱われる。具体的には、ログ受付部２１１は、運行情報２２２を参照し、次停留所の通過フラグに通過したことを示す情報を関連付ける。即ち、次停留所は前停留所として取り扱われる。
【０１１０】
その結果、前停留所が「Ｂ」となり、次停留所が「Ｃ」となる。
【０１１１】
次に、表示位置特定部２１２は、前停留所と次停留所の間にバス位置を特定する（ステップＳ４８）。具体的には、表示位置特定部２１２は、発車した停留所（前停留所）と、運行情報２２２において前停留所に連続して停車する予定の停留所（次停留所）と、の間の経路上の任意の位置を、バス位置に特定する。
【０１１２】
図９における地図画面３２０において、前停留所の停留所画像３２１が停留所画像３２１Ｂとなり、次停留所の停留所画像３２１が次停留所画像３２１Ｃとなった。そのため、表示位置特定部２１２は、停留所画像３２１Ｂと停留所画像３２１Ｃとの間の経路上の任意の位置を、バス位置に特定する。なお、バス位置は、バスが前停留所を発車したことを認識しうる位置に設定されればよい。例えばバス位置は、前停留所画像と次停留所画像との間の経路上の中間地である。
【０１１３】
説明を図７に戻す。ステップＳ４９で行われる処理は、ステップＳ４５で行われる処理と同様であるため、説明を省略する。その後、制御部２１０は処理をステップＳ４１に戻す。
【０１１４】
ステップＳ４１において、ログ受付部２１１が、通過ボタンログを受信したと判定する場合（ステップＳ４１で「ＹＥＳ」の場合）、ログ受付部２１１は、運行情報２２２を更新する（ステップＳ５１）。具体的には、ログ受付部２１１は、運行情報２２２を参照し、次停留所の通過フラグに通過したことを示す情報を関連付ける。
【０１１５】
ステップＳ５２からステップＳ５３において行われる処理は、ステップＳ４８からステップＳ４９において行われる処理と同様であるため、説明を省略する。その後、制御部２１０は処理をステップＳ４１に戻す。
【０１１６】
本実施形態により、バスの位置を効率的に表示することができる。特に、バスの扉が閉鎖された後にバスの走行開始が検知されると、バスが停留所を発車したと取り扱われ、停留所を発車したことを示す表示が行われる。このため、発車直前に扉を開放させる等の手段を講じずとも、より正確な表示を行うことができる。
【０１１７】
なお、バスが停留所を出発し走行中であるか、又は停留所に停車中であるかにより、表示を異ならせてもよい。例えば図７のステップ４３において扉開放ログを受信し、ステップＳ４７で車速パルスＯＮログを受信するまでの間が停留所に停車している状態であるため、この間、バス画像３２２の色彩等が他の場合と異なるよう表示してもよい。
【０１１８】
以上、本発明に係る各実施形態及び変形例の説明を行ってきたが、本発明は、上記した実施形態の一例に限定されるものではなく、様々な変形例が含まれる。例えば、上記した実施形態の一例は、本発明を分かり易くするために詳細に説明したものであり、本発明は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。また、上記の各構成、機能、処理部、処理手段等は、それらの一部又は全部を、例えば集積回路で設計する等によりハードウェアで実現してもよい。また、図中の制御線や情報線は、説明上必要と考えられるものを示しており、全てを示しているとは限らない。ほとんど全ての構成が相互に接続されていると考えてもよい。
【０１１９】
なお、車載装置１０及びサーバー装置２０の機能構成は、理解を容易にするために、主な処理内容に応じて分類したものである。構成要素の分類の仕方や名称によって、本願発明が制限されることはない。上述に示す通り、車載装置１０及びサーバー装置２０の構成は、処理内容に応じて、さらに多くの構成要素に分類することもできる。また、１つの構成要素がさらに多くの処理を実行するように分類することもできる。
【符号の説明】
【０１２０】
１：発車判定システム、１０：車載装置、１１：演算処理部、１２：ＣＰＵ、１３：ＲＡＭ、１４：不揮発性メモリ、１５：ネットワークＩ／Ｆ、２０：サーバー装置、３１：入力装置、３２：出力装置、３３：車速センサー、３４：扉センサー、１１０・２１０：制御部、１１１：開閉検知部、１１２：走行検知部、１１３：発車判定部、１１４：ログ生成部、１１５：表示情報生成部、１２０・２２０：記憶部、１２１・２２２：運行情報、１２２・２２３：ログ情報、１３０・２３０：入力部、１４０・２４０：出力部、１５０・２５０：通信部、２１１：ログ受付部、２１２：表示位置特定部、２１３：地図画面情報生成部、２２１：地図情報、３１０：案内画面、３１１：停留所表示領域、３１２：次停留所指示表示領域、３１３：現在時刻表示領域、３２０：地図画面、３２１：停留所画像、３２２：バス画像、ｎ：ネットワーク
【図１】
2019028812.tif 000003
【図２】
2019028812.tif 000004
【図３】
2019028812.tif 000005
【図４】
2019028812.tif 000006
【図５】
2019028812.tif 000007
【図６】
2019028812.tif 000008
【図７】
2019028812.tif 000009
【図８】
2019028812.tif 000010
【図９】
2019028812.tif 000011